(57)【要約】【課題】厚さを薄くすることができるエレベータのかご天井装置を得る。【解決手段】かご天井装置１は、天蓋３、照明装置４、照明装置４の下方に配置される照明板５、及び照明装置４を避けて天蓋３に設けられ、照明板５を支持する複数の支持具６を有している。支持具６は、支持具本体９と、支持具本体９から下方へ突出する規制部１０と、規制部１０の下部から左右に突出する第１の載せ部１１及び第２の載せ部１２とを有している。支持具本体９には、支持具本体９が規制部１０よりも第１の載せ部１１の突出方向と反対側へ窪んで形成された逃がし溝１５が設けられている。かご天井装置１では、照明板５の一端部が一方の支持具６の逃がし溝１５に挿入されることにより、照明板５の他端部が他方の支持具６の第２の載せ部１２に載せられることが可能になる。【選択図】図５
2013001513.tif 000002
【特許請求の範囲】
【請求項１】
天蓋、
上記天蓋に支持され、上記天蓋の下方に配置される照明装置、
支持具本体と、上記支持具本体から下方へ突出する規制部と、上記規制部の下部から左右に突出する第１の載せ部及び第２の載せ部とを有し、上記照明装置を避けて上記天蓋に設けられた複数の支持具、及び
上記照明装置の下方で各上記支持具間に配置され、一方の上記支持具の上記第１の載せ部に一端部が載せられ、他方の上記支持具の上記第２の載せ部に他端部が載せられた状態で上記支持具に支持される照明板
を備え、
上記支持具本体には、上記支持具本体が上記規制部よりも上記第１の載せ部の突出方向と反対側へ窪んで形成された逃がし用空間が設けられ、
上記照明板の一端部が一方の上記支持具の上記逃がし用空間に挿入されることにより、上記照明板の他端部が他方の上記支持具の上記第２の載せ部に載せられることが可能になり、
一方の上記支持具の上記逃がし用空間に一端部が挿入された上記照明板の他端部が上記第２の載せ部に載せられることにより、上記照明板の一端部が一方の上記支持具の上記第１の載せ部に載せられることが可能になることを特徴とするエレベータのかご天井装置。
【請求項２】
上記支持具は、上記規制部の上部から上記第１の載せ部の突出方向と同じ方向へ突出するストッパをさらに有し、
上記ストッパと上記第１の載せ部との間には、一端部挿入用空間が設けられ、
上記照明板の一端部は、上記ストッパの下面及び上記第１の載せ部の上面に案内されながら上記一端部挿入用空間に挿入可能になっていることを特徴とする請求項１に記載のエレベータのかご天井装置。
【請求項３】
上記ストッパの突出長さは、上記第１の載せ部の突出長さよりも短くなっていることを特徴とする請求項２に記載のエレベータのかご天井装置。
【請求項４】
上記支持具本体と上記第２の載せ部との間には、他端部挿入用空間が設けられ、
上記照明板の他端部は、上記支持具本体の下面及び上記第２の載せ部の上面に案内されながら上記他端部挿入用空間に挿入可能になっていることを特徴とする請求項１乃至請求項３のいずれか一項に記載のエレベータのかご天井装置。
【請求項５】
上記第１の載せ部の突出長さは、上記第２の載せ部の突出長さよりも短くなっていることを特徴とする請求項１乃至請求項４のいずれか一項に記載のエレベータのかご天井装置。
【発明の詳細な説明】
【技術分野】
【０００１】
この発明は、照明装置の下方に配置される照明板を、天蓋に設けられた支持具で支持するエレベータのかごの天井装置に関するものである。
【背景技術】
【０００２】
従来、かご天井の照明機器を下から覆って配光する複数の照明板の相互間に、照明板の周縁部を受け支えする支持部を突設させた目地を介在させて照明板を固定するようにしたエレベータのかごの照明板固定装置が知られている。例えば照明機器の取り替え等を行うために照明板をかご天井から取り外すときには、照明板の一端部をかご天井内に押し上げて照明板を斜めにすることにより照明板の他端部を支持部から外してから、照明板をかご天井から取り外す（例えば特許文献１参照）。
【先行技術文献】
【特許文献】
【０００３】
【特許文献１】特許第４５１５７８８号公報
【発明の概要】
【発明が解決しようとする課題】
【０００４】
しかし、照明板の他端部が支持部から外れるまで照明板を逃がすために、照明板を大きく斜めにしなければならないので、照明板の逃がし代を確保するために、かご天井内の深さ（厚さ）を大きくしなければならない。従って、照明板が全面に配置された全面照明タイプのかご天井の厚さは、一部のみが照明板となっている部分照明タイプのかご天井の厚さよりも大きくなってしまう。
【０００５】
このことから、例えば既設のかごの壁を利用して部分照明タイプのかご天井を全面照明タイプのかご天井にリニューアルしようとすると、全面照明タイプのかご天井が上方の既設の機器（例えばドア装置の上部等）に干渉してしまうおそれがある。また、既設の機器に干渉しないように全面照明タイプのかご天井の設置位置を低くすると、かご内の天井高さが低くなり、かご内の乗客に圧迫感を与えてしまう。
【０００６】
この発明は、上記のような課題を解決するためになされたものであり、厚さを薄くすることができるエレベータのかご天井装置を得ることを目的とする。
【課題を解決するための手段】
【０００７】
この発明に係るエレベータのかご天井装置は、天蓋、天蓋に支持され、天蓋の下方に配置される照明装置、支持具本体と、支持具本体から下方へ突出する規制部と、規制部の下部から左右に突出する第１の載せ部及び第２の載せ部とを有し、照明装置を避けて天蓋に設けられた複数の支持具、及び照明装置の下方で各支持具間に配置され、一方の支持具の第１の載せ部に一端部が載せられ、他方の支持具の第２の載せ部に他端部が載せられた状態で支持具に支持される照明板を備え、支持具本体には、支持具本体が規制部よりも第１の載せ部の突出方向と反対側へ窪んで形成された逃がし用空間が設けられ、照明板の一端部が一方の支持具の逃がし用空間に挿入されることにより、照明板の他端部が他方の支持具の第２の載せ部に載せられることが可能になり、一方の支持具の逃がし用空間に一端部が挿入された照明板の他端部が第２の載せ部に載せられることにより、照明板の一端部が一方の支持具の第１の載せ部に載せられることが可能になる。
【発明の効果】
【０００８】
この発明に係るエレベータのかご天井装置では、支持具本体が規制部よりも第１の載せ部の突出方向と反対側へ窪んで形成された逃がし用空間が支持具本体に設けられているので、照明板の一端部を一方の支持具の逃がし用空間に挿入することにより、他方の支持具から照明板を水平方向へ逃がすことができる。これにより、照明板を少し傾けるだけで、照明板の他端部を他方の支持具の第２の載せ部に載せることができる。従って、照明板の着脱の際に照明板を大きく傾ける必要がなくなり、かご天井装置の厚さを薄くすることができる。
【図面の簡単な説明】
【０００９】
【図１】この発明の実施の形態１によるエレベータのかご天井装置を示す構成図である。
【図２】図１のエレベータのかご天井装置を示す拡大図である。
【図３】図２の保持部材の要部を示す拡大図である。
【図４】図３の照明板を外したときの保持部材を示す拡大図である。
【図５】図２の照明板の一端部が一方の支持具の逃がし溝に挿入されている状態を示す構成図である。
【図６】図５の照明板の他端部が他方の支持具の第２の挿入溝に挿入されている状態を示す構成図である。
【図７】比較例でのエレベータのかご天井装置を示す構成図である。
【図８】図７の支持具の一部を示す拡大図である。
【図９】図７の支持具に照明板を取り付けるときの状態を示す構成図である。
【図１０】本発明の実施の形態１でのかご天井装置と、比較例でのかご天井装置とを並べて示す比較図である。
【図１１】この発明の実施の形態２によるエレベータのかご天井装置を示す構成図である。
【発明を実施するための形態】
【００１０】
実施の形態１．
図１は、この発明の実施の形態１によるエレベータのかご天井装置を示す構成図である。図において、かご天井装置１は、かごの縦壁２の上端部に周縁部が支持されることによりエレベータのかごの上部に配置されている。また、かご天井装置１は、周縁部が縦壁２上に載せられて固定された天蓋３と、天蓋３に支持され、天蓋３の下方に配置される複数の照明装置４と、各照明装置４の下方に配置され、各照明装置４からの光をかご内へ通す複数枚の照明板５と、各照明装置４を避けて天蓋３に設けられ、各照明板５を支持する複数の支持具６とを有している。
【００１１】
各照明装置４は、天蓋３の周縁部を除くほぼ全面に互いに間隔を置いて並べられている。この例では、各照明装置４が蛍光灯とされている。
【００１２】
各照明板５は、各支持具６間に配置されている。また、各照明板５は、かご天井装置１の周縁部を除くほぼ全面に並べて配置されている。さらに、各照明板５は、両側の支持具６で両端部が支持されることにより、照明装置４の下方に保持される。
【００１３】
各支持具６は、各照明装置４間を仕切った状態で天蓋３の下方に配置されている。また、各支持具６は、天蓋３の下面に固定された取付金（取付部材）７と、取付金７の下部に取り付けられ、照明板５が掛けられる保持部材８とを有している。
【００１４】
図２は、図１のエレベータのかご天井装置１を示す拡大図である。各保持部材８は、取付金７に取り付けられた支持具本体９と、支持具本体９から下方へ突出する規制部１０と、規制部１０の下部から左右へ突出する第１の載せ部１１及び第２の載せ部１２と、規制部１０の上部から第１の載せ部１１と同じ方向へ突出するストッパ１３とを有している。
【００１５】
ストッパ１３が規制部１０から突出する長さ（ストッパ１３の突出長さ）は、第１の載せ部１１が規制部１０から突出する長さ（第１の載せ部１１の突出長さ）よりも短くなっている。また、第１の載せ部１１の突出長さは、第２の載せ部１２が規制部１０から突出する長さ（第２の載せ部１２の突出長さ）よりも短くなっている。
【００１６】
第２の載せ部１２上には、規制部１０に隣接するスペーサ１４が配置されている。スペーサ１４は、弾性体（例えばばねやゴム等）とされている。この例では、スペーサ１４が板ばねとされている。
【００１７】
各照明板５は、照明板５の両側に配置された支持具６のうち、一方の支持具６の第１の載せ部１１に照明板５の一端部が載せられ、他方の支持具６の第２の載せ部１２に照明板５の他端部が載せられた状態で、支持具６に支持される。照明板５が一方及び他方の支持具６間に支持されている状態では、他方の支持具６において、第２の載せ部１２に載せられた照明板５の他端部と規制部１０との間でスペーサ１４が弾性収縮され、一方の支持具６において、第１の載せ部１１に載せられた照明板５の一端部がスペーサ１４の弾性反発力により規制部１０に押し付けられている。
【００１８】
図３は、図２の保持部材８の要部を示す拡大図である。さらに、図４は、図３の照明板５を外したときの保持部材８を示す拡大図である。支持具本体９には、支持具本体９が規制部１０よりも第１の載せ部１１の突出方向と反対側（即ち、第２の載せ部１２の突出方向と同じ側）へ窪んで形成された逃がし溝（逃がし用空間）１５が設けられている。
【００１９】
具体的には、支持具本体９は、水平方向について規制部１０よりも第１の載せ部１１から離れた位置に配置された縦板部９ａと、縦板部９ａの下端部と規制部１０の上端部とを繋ぐ下部横板部９ｂと、縦板部９ａの上端部に設けられ、下部横板部９ｂと上下方向について対向する上部横板部９ｃと、上部横板部９ｃから上方へ延び、取付金７に取り付けられる取付部９ｄとを有している。逃がし溝１５は、縦板部９ａ、下部横板部９ｂ及び上部横板部９ｃにより形成されている。この例では、下部横板部９ｂが規制部１０から突出する長さが、第２の載せ部１２の突出長さとほぼ同じになっている。
【００２０】
第１の載せ部１１とストッパ１３との間には、規制部１０、第１の載せ部１１及びストッパ１３により形成された第１の挿入溝（一端部挿入用空間）１６が設けられている。照明板５の一端部は、ストッパ１３の下面及び第１の載せ部１１の上面に案内されながら第１の挿入溝１６に挿入可能になっている。照明板５の一端部は、第１の挿入溝１６に挿入された状態で第１の載せ部１１に載せられる。
【００２１】
第２の載せ部１２と下部横板部９ｂとは、上下方向について互いに対向している。従って、第２の載せ部１２と下部横板部９ｂ（支持具本体９の一部）との間には、規制部１０、第２の載せ部１２及び下部横板部９ｂにより形成された第２の挿入溝（他端部挿入用空間）１７が設けられている。スペーサ１４は、第２の挿入溝１７内に配置されている。照明板５の他端部は、下部横板部９ｂの下面（支持具本体９の下面）及び第２の載せ部１２の上面に案内されながら第２の挿入溝１７に挿入可能になっている。照明板５の他端部は、第２の挿入溝１７に挿入された状態で第２の載せ部１２に載せられる。
【００２２】
図５は、図２の照明板５の一端部が一方の支持具６の逃がし溝１５に挿入されている状態を示す構成図である。照明板５の一端部が一方の支持具６の逃がし溝１５に挿入されている状態では、照明板５の他端部が他方の支持具６の第２の挿入溝１７に第２の載せ部１２を避けて挿入可能になっている。従って、照明板５の一端部が一方の支持具６の逃がし溝１５に挿入されることにより、照明板５の他端部が他方の支持具６の第２の載せ部１２に載せられることが可能になる。
【００２３】
図６は、図５の照明板５の他端部が他方の支持具６の第２の挿入溝１７に挿入されている状態を示す構成図である。照明板５の一端部が一方の支持具６の逃がし溝１５に挿入された状態から照明板５の他端部が第２の挿入溝１７に挿入されることにより、照明板５の一端部が一方の支持具６の第１の挿入溝１６にストッパ１３を避けて挿入可能になっている。従って、一方の支持具６の逃がし溝１５に挿入された照明板５の他端部が他方の支持具６の第２の載せ部１２に載せられることにより、照明板５の一端部が一方の支持具６の第１の載せ部１１に載せられることが可能になる。
【００２４】
次に、支持具６に対する照明板５の取り付け手順について説明する。まず、図５に示すように、かご内から照明板５の一端部を一方の支持具６の逃がし溝１５に挿入する（逃がし溝挿入工程）。
【００２５】
この後、照明板５の一端部を一方の逃がし溝１５に挿入したまま、他方の支持具６の第２の載せ部１２を避けて照明板５の他端部を押し上げ、他方の支持具６の第２の挿入溝１６に照明板５の他端部を挿入する。これにより、照明板５の他端部が他方の支持具６の第２の載せ部１２に載せられる（第２の挿入溝挿入工程）。
【００２６】
この後、図６に示すように、他方の支持具６のスペーサ１４を縮めながら照明板５の他端部を第２の挿入溝１６に押し込み、照明板５の一端部を逃がし溝１５から外す。この後、ストッパ１３を避けながら一方の支持具６の第１の挿入溝１６に照明板５の一端部を挿入する。これにより、照明板５の一端部が一方の支持具６の第１の載せ部１１に載せられる。このとき、他方の支持具６のスペーサ１４の弾性反発力により、照明板５の一端部が一方の支持具６の規制部１０に押し付けられる。これにより、照明板５が一方及び他方の支持具６間に保持され、支持具６に対する照明板５の取り付けが完了する（第１の挿入溝挿入工程）。
【００２７】
支持具６からの照明板５の取り外しは、上記の逆の手順により行われる。
【００２８】
このようなエレベータのかご天井装置１では、支持具本体９が規制部１０よりも第１の載せ部１１の突出方向と反対側へ窪んで形成された逃がし溝１５が支持具本体９に設けられているので、照明板５の一端部を一方の支持具６の逃がし溝１５に挿入することにより、他方の支持具６から照明板５を水平方向へ逃がすことができる。これにより、照明板５を少し傾けるだけで、照明板５の他端部を他方の支持具６の第２の載せ部１２に載せることができる。従って、照明板５の着脱の際に照明板５を大きく傾ける必要がなくなり、天蓋３と照明板５との間の寸法を短くすることができ、かご天井装置１の厚さを薄くすることができる。これにより、例えばかご天井装置のリニューアルを容易に行うことができるとともに、かご内での圧迫感も減らすことができる。また、支持具６に対する照明板５の着脱の際に照明板５を大きく傾ける必要がないので、照明板５が照明装置４に当たりにくくなり、照明装置４の破損の防止を図ることができる。
【００２９】
また、照明板５の一端部は、ストッパ１３の下面及び第１の載せ部１１の上面に案内されながら第１の挿入溝１６に挿入可能になっているので、第１の載せ部１１に照明板５の一端部を載せやすくすることができるとともに、第１の載せ部１１から照明板５の一端部を外れにくくすることができる。
【００３０】
また、ストッパ１３の突出長さが、第１の載せ部１１の突出長さよりも短くなっているので、支持具６に対する照明板５の着脱の際に、逃がし溝１５及び第１の挿入溝１６間で照明板５の一端部を移動させやすくすることができる。これにより、支持具６に対する照明板５の着脱を容易にすることができる。
【００３１】
また、照明板５の他端部は、支持具本体９の下面及び第２の載せ部１２の上面に案内されながら第２の挿入溝１７に挿入可能になっているので、第２の載せ部１２に照明板５の他端部を載せやすくすることができるとともに、第２の載せ部１２から照明板５の他端部を外れにくくすることができる。
【００３２】
また、第２の載せ部１２の突出長さは、第１の載せ部１１の突出長さよりも長くなっているので、逃がし溝１５の形成により支持具本体９が水平に張り出した部分を、かご内の乗客に対して第２の載せ部１２により隠すことができるとともに、第１の載せ部１１及び第２の載せ部１２の合計の突出長さを短くすることができる。従って、かご内での意匠性の向上を図ることができる。
【００３３】
次に、本発明と比較するための比較例について説明する。図７は、比較例でのエレベータのかご天井装置を示す構成図である。比較例の構成は、支持具の構成が異なることを除いて実施の形態１と同様である。比較例では、支持具１０１が、取付金１０２と、取付金１０２の下部に取り付けられ、上下に沿って配置された縦板１０３と、縦板１０３の下端部から左右に突出する横板１０４とを有している。縦板１０３は、平板であり、凹凸は設けられていない。
【００３４】
照明板５は、一方の支持具１０１の横板１０４に一端部が載せられ、他方の支持具１０１の横板１０４に他端部が載せられた状態で、各支持具１０１間に保持されている。
【００３５】
図８は、図７の支持具１０１の一部を示す拡大図である。各支持具１０１には、照明板５が支持具１０１から外れないようにするためのストッパ１０５が着脱可能に設けられている。照明板５が各支持具１０１間に保持されている状態では、ストッパ１０５が支持具１０１に取り付けられる。
【００３６】
次に、比較例での支持具１０１に対する照明板５の取り付け手順について説明する。図９は、図７の支持具１０１に照明板５を取り付けるときの状態を示す構成図である。支持具１０１に照明板５を取り付けるときには、まず、照明板５を傾けながら照明板５の一端部を各支持具１０１間のスペースに入れ、照明板５の他端部を他方の支持具１０１の横板１０４に載せる。この後、照明板５の一端部を下げて一方の支持具１０１の横板１０４に載せる。
【００３７】
この後、ストッパ１０５を各支持具１０１に取り付けることにより、支持具１０１に対する照明板５の取り付けが完了する。支持具１０１からの照明板５の取り外しは、上記の逆の手順により行われる。
【００３８】
このように、比較例では、縦板１０３が平板であり、照明板５を左右方向へ逃がすことができないので、照明板５の他端部を他方の支持具１０１の横板１０４に載せるために、照明板５の一端部を押し上げて照明板５を大きく傾ける必要がある。
【００３９】
図１０は、本発明の実施の形態１でのかご天井装置１と、比較例でのかご天井装置とを並べて示す比較図である。なお、図１０（ａ）が本発明の実施の形態１でのかご天井装置１と示す図であり、図１０（ｂ）が比較例でのかご天井装置を示す図である。図１０に示すように、本発明の実施の形態１でのかご天井装置１の厚さは、比較例でのかご天井装置の厚さよりも薄くなっていることが分かる。即ち、比較例では、照明板５の着脱の際に照明板５を大きく傾ける必要があるので、かご天井装置の厚さが厚くなっているが、本発明の実施の形態１では、照明板５の着脱の際に照明板５を少し傾けるだけでよいので、かご天井装置１の厚さが比較例よりも薄くなっている。
【００４０】
実施の形態２．
実施の形態１では、照明装置４が蛍光灯とされているが、薄型の照明機器を照明装置４としてもよい。
【００４１】
即ち、図１１は、この発明の実施の形態２によるエレベータのかご天井装置１を示す構成図である。照明装置４は、水平に配置された基板２１と、基板２１に並べて設けられた複数のＬＥＤ２２とを有する薄型の照明機器とされている。他の構成は実施の形態１と同様である。
【００４２】
このようにすれば、照明装置４の厚さを薄くすることができるので、かご天井装置１の厚さをさらに薄くすることができる。
【００４３】
なお、各上記実施の形態では、第２の載せ部１２上にスペーサ１４が配置されているが、スペーサ１４がなくても一方及び他方の支持具６によって照明板５を保持可能であるので、スペーサ１４はなくてもよい。
【００４４】
また、各上記実施の形態では、ストッパ１３が規制部１０の上端部から突出しているが、ストッパ１３と第１の載せ部１１との間の第１の挿入溝１６に照明板５の一端部が挿入可能であれば、ストッパ１３が規制部１０の中間部から突出していてもよい。また、ストッパ１３がなくても一方及び他方の支持具６によって照明板５を保持可能であるので、ストッパ１３はなくてもよい。
【符号の説明】
【００４５】
１  かご天井装置、３  天蓋、４  照明装置、５  照明板、９  支持具本体、１０  規制部、１１  第１の載せ部、１２  第２の載せ部、１３  ストッパ、１５  逃がし溝（逃がし用空間）、１６  第１の挿入溝（一端部挿入用空間）、１７  第２の挿入溝（他端部挿入用空間）。
【図１】
2013001513.tif 000003
【図２】
2013001513.tif 000004
【図３】
2013001513.tif 000005
【図４】
2013001513.tif 000006
【図５】
2013001513.tif 000007
【図６】
2013001513.tif 000008
【図７】
2013001513.tif 000009
【図８】
2013001513.tif 000010
【図９】
2013001513.tif 000011
【図１０】
2013001513.tif 000012
【図１１】
2013001513.tif 000013